(57)【特許請求の範囲】
【請求項１】
充電中か否か、ユーザが筐体に触れず携帯電話を利用しているか否かを認識する認識手段と、
筐体の温度を検知する検知手段と、現在の位置を検知する位置検知手段と、
前記認識手段により充電中であってユーザが筐体に触れずに携帯電話を利用していると認識した場合には充電を継続し、
前記位置検知手段からのある地点の位置情報と、他の地点の位置情報との差分より、ユーザが車内か否かを判断して、ある一定時間内に位置情報の差分を携帯電話機が認識、その差分がある一定量を超過した場合にはユーザが車内にいると判断して、ユーザが携帯電話機を顔に隣接して使ってはいないと見なして充電を継続し、
または、筐体温度レベルが所定のレベル以下であると判断した場合ならば、充電を継続するように制御する制御手段と、を備えたことを特徴とする携帯電話機。
【請求項２】
前記認識手段は、シンプルハンズフリーコネクタ部の接触有無を検知することによってユーザが筐体に触れずに携帯電話を利用しているか否かを認識することを特徴とする請求項１に記載の携帯電話機。
【請求項３】
前記認識手段は、外部接続機器コネクタ部の接続有無を検知することによってユーザが筐体に触れずに携帯電話を利用しているか否かを認識することを特徴とする請求項１または２に記載の携帯電話機。
【請求項４】
前記認識手段は、ブルーツースモジュール部の動作の有無を検知することによってユーザが筐体に触れずに携帯電話を利用しているか否かを認識することを特徴とする請求項１または２に記載の携帯電話機。
【請求項５】
前記認識手段は、タッチの有無を検知することによってユーザが筐体に触れずに携帯電話を利用しているか否かを認識することを特徴とする請求項１または２に記載の携帯電話機。
【請求項６】
前記認識手段は、折りたたみ式の筐体のフリップの開閉状態を検知することによってユーザが筐体に触れずに携帯電話を利用しているか否かを認識することを特徴とする請求項１または２に記載の携帯電話機。
【請求項７】
充電中か否か、ユーザが筐体に触れず携帯電話を利用しているかを認識する工程、筐体の温度を検知する工程、現在の位置を検知する工程、充電中であってユーザが筐体に触れずに携帯電話を利用していると認識した場合には充電を継続し、ある地点の位置情報と、他の地点の位置情報との差分より、ユーザが車内か否かを判断して、ある一定時間内に位置情報の差分を携帯電話機が認識、その差分がある一定量を超過した場合にはユーザが車内にいると判断して、ユーザが携帯電話機を顔に隣接して使ってはいないと見なして充電を継続し、または、筐体温度レベルが所定のレベル以下であると判断した場合ならば、充電を継続するように制御する工程を備えたことを特徴とする携帯電話機の制御方法。
【発明の詳細な説明】
【技術分野】
【０００１】
本発明は、携帯電話機及び携帯電話機の制御方法に関する。
【背景技術】
【０００２】
携帯電話機の充電に関しては、昨今の携帯電話機の多機能化、高機能化、あるいは小型化や材質の多様化に伴い、携帯電話機の筐体面の発熱量が増加することがあった。
一般的な温度に関する規格として、ＢＲＩＴＩＳＨ  ＳＴＡＮＤＡＲＤ  ＢＳ  ＥＮ  ５６３  １９９４があるが、同書によれば、プラスティックの場合、４８℃、１０分間でやけどに至るデータがある。
【０００３】
一般的には、５０℃、３分間で低温やけどに至るといわれている。これらの基準を満足し、規定を考慮すべく、従来の携帯電話機においては、熱帯諸国地域や車載機として利用する場合における筐体表面温度上昇の抑制のために充電停止を施行していた（例えば、特許文献１〜３参照）。
【０００４】
従来の携帯電話機の充電について図７を用いて説明する。
図７は、従来の携帯電話機の充電仕様の一例を説明するための説明図である。
まず充電開始する（ステップＳ７０１）。
次に、充電完了か否かを判断し（ステップＳ７０２）、充電完了であると判断した場合（ステップＳ７０２／Ｙｅｓ）には充電を停止し（ステップＳ７０６）、またその後、携帯電話を利用、あるいは放置による自然放電にて電池の消耗が発生したか否かを判断し（ステップＳ７０７）、電池の消耗が発生したと判断した場合（ステップＳ７０７／Ｙｅｓ）には、再度充電を開始する（ステップＳ７１０）。
【０００５】
以下、筐体表面温度の目安としてレベル１〜４に定義する。
レベル１は最低温度を意味し、以下、順にレベル２、レベル３、レベル４の順に高温度であることを意味する。また、筐体表面温度は、携帯電話機内に設置されている筐体表面温度検知部により検知する。
充電時において筐体表面温度がレベル４以下であるか否かを判断し（ステップＳ７０３）、筐体表面温度がレベル４以下であると判断した場合（ステップＳ７０３／Ｙｅｓ）には、充電を継続してステップＳ７０４へ進む。ステップＳ７０４では、筐体表面温度がレベル２以下であるか否かを判断し、筐体表面温度がレベル２を超過したと判断した場合（ステップＳ７０４／Ｙｅｓ）には、筐体表面温度上昇を抑制すべく充電停止に切り替える（ステップＳ７０６）。
筐体表面温度がレベル４を超過していると判断した場合（ステップＳ７０３／Ｎｏ）には、充電停止し（ステップＳ７０７）、ステップＳ７０８へ進む。
ステップＳ７０８では筐体表面温度がレベル１以下であるか否かを判断し、筐体表面温度がレベル１に低下するまで充電を再開しない。
以上のように、携帯電話機の利用状況に関わらず一括して、電池充電を制御することで筐体表面温度の抑制を行っていた。
【特許文献１】特開２０００−２２４２７４号公報
【特許文献２】特開２００１−２８６０７３号公報
【特許文献３】特公平７−１１４３８２号公報
【発明の開示】
【発明が解決しようとする課題】
【０００６】
しかしながら、昨今の携帯電話機においては、ブルーツース（Ｂｌｕｅｔｏｏｔｈ）、ＳＨＦ（Ｓｉｍｐｌｅ  Ｈａｎｄｓ  Ｆｒｅｅ：シンプルハンズフリー）や外部接続機器との利用等により、ユーザが筐体に触れず携帯電話を利用する場面があり、それら利用状況に合せた仕様／設計とはなっておらず、一律に充電停止を行うことにより、満足な電池充電が行われないことがあった。
【０００７】
そこで、本発明の目的は、使用状況に応じて十分な電池充電を行うことができる携帯電話機および携帯電話機の制御方法を提供することにある。
【課題を解決するための手段】
【００１０】
上記課題を解決するため、請求項１に記載の発明は、充電中か否か、ユーザが筐体に触れず携帯電話を利用しているか否かを認識する認識手段と、筐体の温度を検知する検知手段と、現在の位置を検知する位置検知手段と、前記認識手段により充電中であってユーザが筐体に触れずに携帯電話を利用していると認識した場合には充電を継続し、前記位置検知手段からのある地点の位置情報と、他の地点の位置情報との差分より、ユーザが車内か否かを判断して、ある一定時間内に位置情報の差分を携帯電話機が認識、その差分がある一定量を超過した場合にはユーザが車内にいると判断して、ユーザが携帯電話機を顔に隣接して使ってはいないと見なして充電を継続し、または、筐体温度レベルが所定のレベル以下であると判断した場合ならば、充電を継続するように制御する制御手段と、を備えたことを特徴とする。
【００１２】
請求項２記載の発明は、請求項１に記載の発明において、前記認識手段は、シンプルハンズフリーコネクタ部の接触有無を検知することによってユーザが筐体に触れずに携帯電話を利用しているか否かを認識することを特徴とする。
【００１３】
請求項３に記載の発明は、請求項１または２に記載の発明において、前記認識手段は、外部接続機器コネクタ部の接続有無を検知することによってユーザが筐体に触れずに携帯電話を利用しているか否かを認識することを特徴とする。
【００１４】
請求項４に記載の発明は、請求項１または２に記載の発明において、前記認識手段は、ブルーツースモジュール部の動作の有無を検知することによってユーザが筐体に触れずに携帯電話を利用しているか否かを認識することを特徴とする。
【００１５】
請求項５に記載の発明は、請求項１または２に記載の発明において、前記認識手段は、タッチの有無を検知することによってユーザが筐体に触れずに携帯電話を利用しているか否かを認識することを特徴とする。
【００１６】
請求項６に記載の発明は、請求項１または２に記載の発明において、前記認識手段は、折りたたみ式の筐体のフリップの開閉状態を検知することによってユーザが筐体に触れずに携帯電話を利用しているか否かを認識することを特徴とする。
【００２０】
請求項７に記載の発明は、充電中か否か、ユーザが筐体に触れず携帯電話を利用しているかを認識する工程、筐体の温度を検知する工程、現在の位置を検知する工程、充電中であってユーザが筐体に触れずに携帯電話を利用していると認識した場合には充電を継続し、ある地点の位置情報と、他の地点の位置情報との差分より、ユーザが車内か否かを判断して、ある一定時間内に位置情報の差分を携帯電話機が認識、その差分がある一定量を超過した場合にはユーザが車内にいると判断して、ユーザが携帯電話機を顔に隣接して使ってはいないと見なして充電を継続し、または、筐体温度レベルが所定のレベル以下であると判断した場合ならば、充電を継続するように制御する工程を備えたことを特徴とする。
【発明の効果】
【００２５】
本発明によれば、電池充電時において充電コネクタ部の接触有無、あるいはシンプルハンズフリーコネクタ部の接触有無を検知や外部接続機器コネクタ部の接続有無を検知、またはブルーツース等の無線制御の動作を、携帯電話機の内部のブルーツースモジュール部が動作しているか否かを検知することで携帯電話機が使用状況を認識し、充電電流の制御、あるいは、携帯電話の機能を制限するので、使用状況に応じて十分な電池充電を行うことができる携帯電話機および携帯電話機の制御方法の提供を実現することができる。
【発明を実施するための最良の形態】
【００２６】
本発明に係る携帯電話機の一実施の形態は、使用状況に応じて充電電流、あるいは機能を制限して筐体表面温度を制御するようにしたことを特徴とする。
このような構成により、使用状況に応じて十分な電池充電を行うことができる。
【００２７】
本発明に係る携帯電話機の他の実施の形態は、使用状況を認識する認識手段と、認識手段からの情報に応じて充電電流、あるいは機能を制限する制御手段とを備えたことを特徴とする。
認識手段としては、例えば、コネクタ部の接触有無を検知するマイクロスイッチ、フォトインタラプタ、圧力センサ、ブルーツースモジュール部の動作の有無を検知するためのゲート回路が挙げられる。
制御手段としては、例えば、マイクロプロセッサが挙げられる。
このような構成により、使用状況に応じて十分な電池充電を行うことができる。
【００２８】
本発明に係る携帯電話機の他の実施の形態は、使用状況を認識する認識手段と、筐体の温度を検知する検知手段と、認識手段からの情報に応じて充電電流、あるいは機能を制限して筐体の温度を所定値以下に制御する制御手段とを備えたことを特徴とする。
温度を検知する検知手段としては、例えば、サーミスタが挙げられる。
このような構成により、使用状況に応じて十分な電池充電を行うことができる。
【００２９】
本発明に係る携帯電話機の他の実施の形態は、使用状況を認識する認識手段と、筐体の温度を検知する検知手段と、現在の位置を検知する位置検知手段と、位置検知手段からの位置情報の差分及び認識手段からの情報に応じて充電電流、あるいは機能を制限して筐体の温度を所定値以下に制御する制御手段とを備えたことを特徴とする。
位置検知手段としては、例えば、ＧＰＳ（Ｇｌｏｂａｌ  Ｐｏｓｉｔｉｏｎｉｎｇ  Ｓｙｓｔｅｍ）が挙げられる。
このような構成により、使用状況に応じて十分な電池充電を行うことができる。
【００３０】
本発明に係る携帯電話機の他の実施の形態は、使用状況を認識する認識手段と、筐体の温度を検知する検知手段と、時刻を検知する時計手段と、現在の位置を検知する位置検知手段と、時計手段からの時刻情報及び位置検知手段からの位置情報に応じて充電電流、あるいは機能を制限して筐体の温度を所定値以下に制御する制御手段とを備えたことを特徴とする。
時計手段としては、例えば、１６ＭＨｚの水晶発振子と、１６，０００，０００分周器と、２４分周器と、６分周器と、１０分周器と、６分周器と、１０分周器とで構成される２４時間時計が挙げられる。
このような構成により、使用状況に応じて十分な電池充電を行うことができる。
【００３１】
本発明に係る携帯電話機の他の実施の形態は、上記構成に加え、認識手段は、電池充電時において充電コネクタ部の接触有無を検知してもよく、シンプルハンズフリーコネクタ部の接触有無を検知してもよく、外部接続機器コネクタ部の接続有無を検知してもよく、ブルーツースモジュール部の動作の有無を検知してもよく、タッチの有無を検知してもよく、折りたたみ式の筐体のフリップの開閉状態を検知してもよい。
【００３２】
本発明に係る携帯電話機の他の実施の形態は、上記構成に加え、制御手段は、充電停止／開始の際の筐体表面温度の閾値の設定をソフト処理で実施してもよい。
このような構成により、使用状況に応じて十分な電池充電を行うことができる。
【００３３】
本発明に係る携帯電話機の制御方法の一実施の形態は、使用状況に応じて充電電流、あるいは機能を制限して筐体表面温度を制御することを特徴とする。
このような構成により、使用状況に応じて十分な電池充電を行うことができる。
【００３４】
本発明に係る携帯電話機の制御方法の他の実施の形態は、使用状況を認識する工程、及び使用状況の情報に応じて充電電流、あるいは機能を制限する工程を備えたことを特徴とする。
このような構成により、使用状況に応じて十分な電池充電を行うことができる。
【００３５】
本発明に係る携帯電話機の制御方法の他の実施の形態は、使用状況を認識する工程、筐体の温度を検知する工程、及び使用状況の情報に応じて充電電流、あるいは機能を制限して筐体の温度を所定値以下に制御する工程を備えたことを特徴とする。
このような構成により、使用状況に応じて十分な電池充電を行うことができる。
【００３６】
本発明に係る携帯電話機の制御方法の他の実施の形態は、使用状況を認識する工程、筐体の温度を検知する工程、現在の位置を検知する工程、及び位置情報の差分及び使用状況の情報に応じて充電電流、あるいは機能を制限して筐体の温度を所定値以下に制御する工程を備えたことを特徴とする。
このような構成により、使用状況に応じて十分な電池充電を行うことができる。
【００３７】
本発明に係る携帯電話機の制御方法の他の実施の形態は、使用状況を認識する工程、筐体の温度を検知する工程、時刻を検知する工程、現在の位置を検知する工程、及び時刻情報及び位置情報に応じて充電電流、あるいは機能を制限して筐体の温度を所定値以下に制御する工程を備えたことを特徴とする。
このような構成により、使用状況に応じて十分な電池充電を行うことができる。
【００３８】
なお、上述した実施の形態は、本発明の好適な実施の形態の一例を示すものであり、本発明はそれに限定されることなく、その要旨を逸脱しない範囲内において、種々変形実施が可能である。
【実施例１】
【００３９】
〔構  成〕
次に本発明に係る実施例について図を参照して説明する。
図２は、本発明に係る携帯電話機の一実施例としての筐体表面温度制御機能付携帯電話機のブロック図である。
図２において本実施例の携帯電話機は、アンテナ（例えば、ホイップアンテナ、もしくはループアンテナ）２０１、無線通信制御を行う送受信回路２０２、音声信号をデジタル信号に変換し、あるいはデジタル信号を音声信号に変換する音声処理部２０３、送受話器２０４、外部接続機器やヘッドセット（Ｈｅａｄ  Ｓｅｔ）や他の携帯電話機やパーソナルコンピュータなどと無線通信を行うためのブルーツース部２０５、筐体表面温度を検知するための筐体表面温度検知部２０６、コネクタに挿入されているか否かを検知するためのコネクタ検知部２０７、コネクタ部２０８、フリップの開閉を検知するためのフリップ開閉検知部２０９、送信、設定、その他各送受信制御、音声処理制御、表示制御等、携帯電話機の各種制御を行う制御回路２１０、充電電流の制御、充電開始、停止を行う充電制御部２１１、電池２１３、着信音出力回路２１３、ブザー２１４、着信履歴や電話番号等各種データ、設定を記憶する記憶回路２１５、および表示部２１６で構成されている。
【００４０】
また図２に示した携帯電話機と、他の接続機器との関係を示す全体の構成を図３に示す。
携帯電話機に設置されている電池を充電するための充電器３０１と、携帯電話機３０２と、ブルーツース外部接続機器３０３、あるいは有線の外部接続機器３０４と、ヘッドセット３０５と、で構成されている。
【００４１】
〔動  作〕
図１は、本発明に係る携帯電話機の一実施例の動作フローチャート図である。
図１を用いて本発明に係る携帯電話機の動作を説明する。
まず、充電が開始される（ステップＳ１０１）。
次に充電の完了有無を確認する（ステップＳ１０２）。確認方法については既知であるため省略するが、一般的に、充電完了間際には、定電圧充電方法が用いられるため、充電電流の監視による判断となる場合が多い点を補足説明としておく。
【００４２】
以下、筐体表面温度の目安としてレベル１〜４に定義する。レベル１は最低温度、以下、順にレベル２、レベル３、レベル４の順に高い温度を意味する。また、筐体表面温度は、携帯電話機内に設置されている筐体表面温度検知部（例えば、サーミスタ）により検知する。
充電が完了していないと判断した場合（ステップＳ１０２／Ｎｏ）には、筐体温度レベルが２以下であるか否かを判断（ステップＳ１０３）し、筐体温度レベルが１以下であるか否かを判断（ステップＳ１０４）する。
筐体表面温度がレベル２以下であると判断した場合（ステップＳ１０２／Ｙｅｓ）、かつレベル１以下であると判断した場合（ステップＳ１０４／Ｙｅｓ）には、継続の充電を行う。
【００４３】
レベル１を超過したと判断した場合（ステップＳ１０４／Ｎｏ）、携帯電話機はコネクタ部検知部によりＳＨＦの挿入有無を確認（ステップＳ１０５）し、ＳＨＦが挿入されていると判断した場合（ステップＳ１０５／Ｙｅｓ）には、ユーザが携帯電話機を顔に隣接して利用していない、と見なし、Ｈｉｇｈ充電を継続する。
ＳＨＦが挿入されていないと判断した場合（ステップＳ１０５／Ｎｏ）には、ユーザが顔に隣接して通話しているか、あるいは通話しようとしている可能性があるため筐体表面温度を下げるべく、充電停止に切り替える（ステップＳ１０７）。
【００４４】
一方、ステップＳ１０３でレベル２超過していると判断した場合（ステップＳ１０３／Ｎｏ）、筐体表面温度レベル３を超過しているか否か、携帯電話機は筐体表面温度検出部によって確認する（ステップＳ１０６）。
レベル３を超過していないと判断した場合、つまりレベル２〜レベル３の範囲内の場合（ステップＳ１０６／Ｙｅｓ）には、充電停止に切り替える（ステップＳ１０７）。
レベル３を超過したと判断した場合（ステップＳ１０６／Ｎｏ）には、携帯電話機がコネクタ検知部により外部接続機器が挿入されているか否かを判断する（ステップＳ１０８）。
【００４５】
外部接続機器が挿入されていると判断した場合（ステップＳ１０８／Ｙｅｓ）には、ユーザが携帯電話機を顔に隣接して使ってはいないと見なしレベル４以下であるか否かを判断する（ステップＳ１０９）。レベル４以下であると判断した場合（ステップＳ１０９／Ｙｅｓ）ならば、充電を継続するか、あるいは、携帯電話機の移動に伴うネットワークからの位置情報、またはＧＰＳやＲＦＩＤ（Ｒａｄｉｏ  Ｆｒｅｑｕｅｎｃｙ  Ｉｄｅｎｔｉｆｉｃａｔｉｏｎ）、他、これら位置情報により、ユーザが車内か否かを判断して、ある一定時間内に位置情報の差分を携帯電話機が認識、その差分がある一定量を超過した場合にはエンドユーザが車内にいると判断して、外部接続機器使用中であると認識した場合と同じ充電制御を実施する。
【００４６】
レベル４超過であると判断した場合（ステップＳ１０９／Ｎｏ）、充電を停止し（ステップＳ１１０）、筐体表面温度がレベル１に低下するまで充電を再開しない。すなわち、外部接続機器を使っていないと携帯電話機が判断した場合には、顔に隣接して通話中、あるいは通話を開始する恐れがあるため、充電停止とする（ステップＳ１１０）。その際、筐体表面温度がレベル１に低下するまで、充電は再開しない（ステップＳ１１１）。
【実施例２】
【００４７】
次に本発明の他の実施例について図４を参照して説明する。
図４は、本発明に係る携帯電話機の他の実施例のフローチャートである。
〔構  成〕
その基本的構成は前述した実施例１とほぼ同様であるが、携帯電話機のレシーバ付近にタッチセンサを設置した点が相違している。本実施例の携帯電話機は、そのタッチセンサにより、ユーザが携帯電話機を顔に隣接（密着）して使っているか否かを判断することで、充電時の筐体表面温度表面を制御するものである。
【００４８】
〔動  作〕
まず、充電が開始される（ステップＳ４０１）。
次に充電の完了有無を確認する（ステップＳ４０２）。
充電が完了していないと判断した場合（ステップＳ４０２／Ｎｏ）には、筐体温度レベルが４以下であるか否かを判断（ステップＳ４０３）し、筐体温度レベルが３以下であるか否かを判断（ステップＳ４０４）する。
筐体表面温度レベル４以下（ステップＳ４０３／Ｙｅｓ）であり、かつレベル３以下であると判断した場合（ステップＳ４０４／Ｙｅｓ）、携帯電話機はレシーバ付近に設置されたタッチセンサにより、上述の通り、ユーザの利用状況（タッチセンサに耳がふれているか否か）を判断（ステップＳ４０５）し、タッチセンサにて何かしら接触している場合（ステップＳ４０５／Ｙｅｓ）には、筐体表面温度を下げるべく充電停止に切り替える（ステップＳ４０６）。
レベル４超過であると判断した場合（ステップＳ４０３／Ｎｏ）には、充電停止（ステップＳ４０７）とする。なお筐体表面温度がレベル１に低下するまで充電は再開しない（ステップＳ４０８）。
【実施例３】
【００４９】
次に本発明の他の実施例について図５を参照して説明する。
図５は、本発明に係る携帯電話機の他の実施例のフローチャートである。
〔構  成〕
図５に示した実施例と、図４に示した実施例との相違点は、図４に示した実施例のタッチセンサによる検出の代わりに、フリップの開閉の検知によってユーザが携帯電話を顔に隣接して使っている、あるいは使おうとする可能性があるかを判断して温度制御を行う点である。
図５に示した実施例では、タッチセンサのような追加のセンサではなく携帯電話機の既存のフリップ開閉検知部を利用して行うため、コスト的にも筐体サイズ的にも利点がある。
【００５０】
〔動  作〕
まず、充電が開始される（ステップＳ５０１）。
次に充電の完了有無を確認する（ステップＳ５０２）。
充電が完了していないと判断した場合（ステップＳ５０２／Ｎｏ）には、筐体温度レベルが４以下であるか否かを判断（ステップＳ５０３）し、筐体温度レベルが３以下であるか否かを判断（ステップＳ５０４）する。
筐体表面温度レベル４以下（ステップＳ５０３／Ｙｅｓ）であり、かつレベル３以下であると判断した場合（ステップＳ５０４／Ｙｅｓ）、携帯電話機は圧力センサにより、上述の通り、フリップの開閉状況を判断（ステップＳ５０５）し、フリップが閉まっていると判断した場合（ステップＳ５０５／Ｙｅｓ）には、筐体表面温度を下げるべく充電停止に切り替える（ステップＳ５０６）。
レベル４超過であると判断した場合（ステップＳ５０３／Ｎｏ）には、充電停止（ステップＳ５０７）とする。なお筐体表面温度がレベル１に低下するまで充電は再開しない（ステップＳ５０８）。
【実施例４】
【００５１】
次に本発明の他の実施例について図６を参照して説明する。
図６は、本発明に係る携帯電話機の他の実施例のフローチャートである。
〔構  成〕
図６に示した実施例と、図４、５に示した実施例との相違点は、タッチセンサやフリップ開閉検出の代わりに、ブルーツース（登録商標）のヘッドセットやハンズフリープロファイルが利用されているか否かの検知によってユーザが携帯電話を顔に隣接して使っている、あるいは使おうとする可能性があるかを判断して温度制御を行う点である。
【００５２】
〔動  作〕
まず、充電が開始される（ステップＳ６０１）。
次に充電の完了有無を確認する（ステップＳ６０２）。
充電が完了していないと判断した場合（ステップＳ６０２／Ｎｏ）には、筐体温度レベルが４以下であるか否かを判断（ステップＳ６０３）し、筐体温度レベルが３以下であるか否かを判断（ステップＳ６０４）する。
筐体表面温度レベル４以下（ステップＳ６０３／Ｙｅｓ）であり、かつレベル３以下であると判断した場合（ステップＳ６０４／Ｙｅｓ）、携帯電話機は、ゲート回路により、上述の通り、ブルーツースのヘッドセット（もしくはハンズフリープロファイル）が利用されているか否かを判断（ステップＳ６０５）し、ブルーツースのヘッドセットが使用中でないと判断した場合（ステップＳ６０５／Ｎｏ）には、ユーザが通話中である場合があるので、筐体表面温度を下げるべく充電停止に切り替える（ステップＳ６０６）。
レベル４超過であると判断した場合（ステップＳ６０３／Ｎｏ）には、充電停止（ステップＳ６０７）とする。なお筐体表面温度がレベル１に低下するまで充電は再開しない（ステップＳ６０８）。
【００５３】
本発明は、上述した実施例には限定されず、携帯電話機の各種モード、例えば、音を鳴らさない会議モードや、音を大きめに鳴らすポケットモード、と同様に、諸熱帯国、あるいは寒冷地、と利用する国、環境に併せてユーザが携帯電話機のメニュー上にて選択するとしてもよい。また、世界中の環境下でもより効率的かつ安全な電池の充電を実施すべく、端末の移動に伴うネットワークからの位置情報、あるいはＧＰＳやＲＦＩＤ、他、からの取得と連動させて、自動的に各温度閾値を設定すること、上記充電の開始／停止の筐体表面温度の閾値を、ＯＴＡ（Ｏｖｅｒ  Ｔｈｅ  Ａｉｒ）、あるいはＳｙｎｃ−ＭＬにて設定すること、への発展が可能である。
【００５４】
〔効果の説明〕
以上説明したように、本発明においては、以下に記載するような効果を奏する。
第１の効果は、ＳＨＦや外部接続機器を利用中か否か判断することにより、その携帯電話機の利用状況、例えば、熱帯諸国地域や、夏季等、高温下での車内等でも充電が可能となる。
【００５５】
第２の効果は、第一の効果で記した外部接続機器の利用有無判断するにあたり、端末の移動に伴うネットワークからの位置情報、またはＧＰＳやＲＦＩＤ、他、これら位置情報により、ユーザが車内か否かを判断して、ある一定時間内に位置情報の差分を携帯電話機が認識、その差分がある一定量を超過した場合にはユーザが車内にいると判断して、外部接続機器と合せて携帯電話機を使用中であると認識した場合と同じ充電制御を実施することができる。
【００５６】
第３の効果は、上記電池の充電停止／開始の制御を実施するにあたり、携帯電話機のレシーバ付近にタッチセンサを設置することでも、第一の効果と同様の効果を得ることができる。
【００５７】
第４の効果は、第３の効果で記したタッチセンサの代わりに、フリップの開閉検出により、充電停止／開始の制御を行うことで、第３の効果と同様の効果を得ることが出来、また既存の検出機構であるフリップ開閉検出を利用しているため、追加の検出機構や仕組みを要せずに実現できるため、コスト、あるいは筐体サイズに有利である。
【００５８】
第５の効果は、ブルーツースの利用プロファイルを判断して、充電停止／開始の制御を行うため、こちらも追加の検出部等の必要がない。コスト、筐体サイズには影響を及ばすこと無く、充電停止／開始の制御が可能となる。
【００５９】
第６の効果は、上記第１の効果〜第５の効果を併用することで、ユーザが携帯電話機を顔に隣接して使っているのか、あるいは使おうとしているのかの判断をより正確に判断できる。それの判断により充電停止／開始の制御を実施することができる。
【００６０】
第７の効果は、上記すべての効果において、充電電流の閾値の設定をソフト処理で実施することで、同一製品でも熱帯諸国や寒冷地等、携帯電話仕向け先毎に対応することが可能となる。
【００６１】
第８の効果は、端末の移動に伴うネットワークからの位置情報、あるいはＧＰＳやＲＦＩＤ、他、からの取得と連動させて、自動的に各温度閾値を設定する仕組みも有することで、世界中の環境下でもより効率的かつ安全な電池の充電を実施する。
【００６２】
第９の効果は、上記第７の効果と併せて、携帯電話機の時計に連動して、自動的に各温度閾値を設定する仕組みも有することで、世界中の環境下でもより効率的かつ安全な電池の充電を実施する。
【００６３】
第１０の効果は、ＯＴＡにより、充電停止／開始の制御を行うための閾値を設定が可能となる。
【００６４】
第１１の効果は、Ｓｙｎｃ−ＭＬにて、充電停止／開始の制御を行うための閾値を設定することが可能となる。
【産業上の利用可能性】
【００６５】
本発明は、携帯電話機及び携帯電話機の制御方法に利用することができる。
【図面の簡単な説明】
【００６６】
【図１】本発明に係る携帯電話機の一実施例の動作フローチャート図である。
【図２】本発明に係る携帯電話機の一実施例としての筐体表面温度制御機能付携帯電話機のブロック図である。
【図３】図２に示した携帯電話機と、他の接続機器との関係を示す全体構成図である。
【図４】本発明に係る携帯電話機の他の実施例のフローチャートである。
【図５】本発明に係る携帯電話機の他の実施例のフローチャートである。
【図６】本発明に係る携帯電話機の他の実施例のフローチャートである。
【図７】従来の携帯電話機の充電仕様の一例を説明するための説明図である。
【符号の説明】
【００６７】
２０１    アンテナ
２０２    送受信回路
２０３    音声処理部
２０４    送受話器
２０５    ブルーツース部
２０６    筐体表面温度検知部
２０７    コネクタ検知部
２０８    コネクタ部
２０９    フリップ開閉見地部
２１０    制御回路
２１１    充電制御部
２１２    電池
２１３    着信音出力回路
２１４    ブザー
２１５    記憶回路
２１６    表示部
【図１】
0004635858.tif 000002
【図２】
0004635858.tif 000003
【図３】
0004635858.tif 000004
【図４】
0004635858.tif 000005
【図５】
0004635858.tif 000006
【図６】
0004635858.tif 000007
【図７】
0004635858.tif 000008